(57)【要約】【課題】複数の記憶媒体に記憶されている複数の画像データの中から、所望の画像データに応じた画像を投写する際の利便性を向上することが可能な画像表示装置及び画像表示方法、並びにプログラムを提供する。【解決手段】カードスロット３１やＵＳＢ端子３２にデバイスが接続されると、制御部２０は、接続されたデバイスに応じて異なる動作を行う。例えば、複数のメモリカードＭ１〜Ｍ４が装着されたマルチカードリーダＭＲがＵＳＢ端子３２に接続された場合には、制御部２０は、投写画面上にドライブセレクタ（選択画像）を表示する。ドライブセレクタには、各ドライブ（メモリカードＭ１〜Ｍ４）に対応する複数のアイコンが含まれており、ユーザが、これらのアイコンの中から所望のアイコンを選択すると、制御部２０は、対応するメモリカードに記憶されている画像データの一覧を表示して、全面表示すべき画像データを一覧の中から選択させる。【選択図】図１
2008096878.tif 000002
【特許請求の範囲】
【請求項１】
画像データが記憶された記憶媒体を接続可能な複数の接続端子と、
前記画像データに基づいた画像を表示する表示部と、
前記複数の接続端子に対する前記記憶媒体の接続状況を視認させるとともに、前記接続端子に接続された前記記憶媒体の中からいずれかを選択させるための選択画像を、前記表示部により表示させる選択部と、
前記選択画像により選択された前記記憶媒体に記憶されている画像データを読み出して、当該画像データに基づいた画像を前記表示部により表示させる制御部と、
を備えたことを特徴とする画像表示装置。
【請求項２】
請求項１に記載の画像表示装置であって、
前記選択画像には、前記複数の接続端子にそれぞれ対応する複数のアイコンが含まれており、前記選択部は、前記接続端子に前記記憶媒体が接続されている場合と接続されていない場合とで前記アイコンの表示態様を変化させることを特徴とする画像表示装置。
【請求項３】
請求項２に記載の画像表示装置であって、
前記選択部は、前記アイコンによって前記記憶媒体を選択させることを特徴とする画像表示装置。
【請求項４】
請求項２又は３に記載の画像表示装置であって、
前記複数の接続端子の少なくとも１つは、記憶媒体を接続可能な複数の接続端子を備えた記憶媒体読取装置を接続可能であり、前記選択画像には、前記記憶媒体読取装置が備える前記複数の接続端子にそれぞれ対応する複数のアイコンが含まれていること特徴とする画像表示装置。
【請求項５】
請求項１〜４のいずれか１項に記載の画像表示装置であって、
前記制御部は、前記選択画像により選択された前記記憶媒体に記憶されている画像データの一覧を前記表示部により表示させ、当該一覧の中から表示すべき画像データを選択させることを特徴とする画像表示装置。
【請求項６】
記憶媒体を接続可能な複数の接続端子を備えた画像表示装置で、前記記憶媒体に記憶されている画像データに基づいた画像を表示する画像表示方法であって、
前記複数の接続端子に対する前記記憶媒体の接続状況を視認させるとともに、前記接続端子に接続された前記記憶媒体の中からいずれかを選択させるための選択画像を表示する第１のステップと、
前記選択画像により選択された前記記憶媒体に記憶されている画像データを読み出して、当該画像データに基づいた画像を表示する第２のステップと、
を備えたことを特徴とする画像表示方法。
【請求項７】
記憶媒体を接続可能な複数の接続端子を備えた画像表示装置で、前記記憶媒体に記憶されている画像データに基づいた画像を表示するプログラムであって、
コンピュータに、
前記複数の接続端子に対する前記記憶媒体の接続状況を視認させるとともに、前記接続端子に接続された前記記憶媒体の中からいずれかを選択させるための選択画像を表示させる第１のステップと、
前記選択画像により選択された前記記憶媒体に記憶されている画像データを読み出して、当該画像データに基づいた画像を表示する第２のステップと、
を実行させることを特徴とするプログラム。
【発明の詳細な説明】
【技術分野】
【０００１】
本発明は、画像表示装置及び画像表示方法、並びにプログラムに関する。
【背景技術】
【０００２】
メモリカードやＵＳＢ（Universal Serial Bus）メモリ等、外部の記憶媒体に記憶された画像データを読み出して、この画像データに応じた画像を投写可能なプロジェクタ（画像表示装置）が知られている（例えば、特許文献１参照）。
このようなプロジェクタは、記憶媒体が装着（接続）されると、当該記憶媒体に記憶されている画像データの一覧を投写画像によって表示して、投写すべき画像データをユーザに選択させるようになっている。
【０００３】
【特許文献１】特開２００５−１６５１０７号公報
【発明の開示】
【発明が解決しようとする課題】
【０００４】
しかしながら、従来のこの種のプロジェクタは、記憶媒体を接続するための接続端子（ＵＳＢ端子や各種カードスロット等）を複数備えている場合であっても、最初に接続された記憶媒体内の画像データの一覧を表示するようになっていた。このため、複数の記憶媒体に記憶されている複数の画像データの中から、所望の画像データに応じた画像を投写する場合には、その都度、所望の画像データが記憶された記憶媒体を接続させる作業を行ったり、画像データを予め１つの記憶媒体にコピーしておいたりする必要があり、利便性が損なわれていた。
【０００５】
本発明は上記問題に鑑みてなされたものであり、その目的は、複数の記憶媒体に記憶されている複数の画像データの中から所望の画像データに応じた画像を表示する際の利便性を向上することが可能な画像表示装置及び画像表示方法、並びにプログラムを提供することにある。
【課題を解決するための手段】
【０００６】
本発明の画像表示装置は、画像データが記憶された記憶媒体を接続可能な複数の接続端子と、前記画像データに基づいた画像を表示する表示部と、前記複数の接続端子に対する前記記憶媒体の接続状況を視認させるとともに、前記接続端子に接続された前記記憶媒体の中からいずれかを選択させるための選択画像を、前記表示部により表示させる選択部と、前記選択画像により選択された前記記憶媒体に記憶されている画像データを読み出して、当該画像データに基づいた画像を前記表示部により表示させる制御部とを備えたことを特徴とする。
【０００７】
この画像表示装置によれば、選択部が選択画像を表示させることにより、ユーザは、記憶媒体の接続状況を視認できるとともに、接続されている記憶媒体の中から、投写すべき画像データが記憶されている記憶媒体を選択することが可能となる。この結果、複数の記憶媒体が接続されている場合であっても、所望の記憶媒体に記憶されている画像データに基づいた画像を容易に表示することが可能となるため、利便性が向上する。
【０００８】
この画像表示装置において、前記選択画像には、前記複数の接続端子にそれぞれ対応する複数のアイコンが含まれており、前記選択部は、前記接続端子に前記記憶媒体が接続されている場合と接続されていない場合とで前記アイコンの表示態様を変化させることが望ましい。
【０００９】
この画像表示装置によれば、選択画像には、複数の接続端子にそれぞれ対応する複数のアイコンが含まれており、選択部が、接続端子に記憶媒体が接続されている場合と接続されていない場合とでアイコンの表示態様を変化させているため、記憶媒体の接続状況を容易に視認することが可能となる。
【００１０】
この画像表示装置において、前記選択部は、前記アイコンによって前記記憶媒体を選択させることが望ましい。
【００１１】
この画像表示装置によれば、アイコンによって、接続状況の視認及び記憶媒体の選択の両方が可能となるため、選択画像に含むべき要素数を低減することが可能となる。この結果、選択画像を簡素にすることが可能となり、選択画像の視認性が向上する。
【００１２】
この画像表示装置において、前記複数の接続端子の少なくとも１つは、記憶媒体を接続可能な複数の接続端子を備えた記憶媒体読取装置を接続可能であり、前記選択画像には、前記記憶媒体読取装置が備える前記複数の接続端子にそれぞれ対応する複数のアイコンが含まれていることが望ましい。
【００１３】
この画像表示装置によれば、選択画像に、記憶媒体読取装置が備える複数の接続端子にそれぞれ対応する複数のアイコンが含まれているため、記憶媒体読取装置に対する記憶媒体の接続状況を容易に視認することが可能となる。
【００１４】
この画像表示装置において、前記制御部は、前記選択画像により選択された前記記憶媒体に記憶されている画像データの一覧を前記表示部により表示させ、当該一覧の中から表示すべき画像データを選択させることが望ましい。
【００１５】
この画像表示装置によれば、選択された記憶媒体に複数の画像データが記憶されている場合でも、表示すべき画像データを容易に指定（選択）することが可能となる。
【００１６】
本発明の画像表示方法は、記憶媒体を接続可能な複数の接続端子を備えた画像表示装置で、前記記憶媒体に記憶されている画像データに基づいた画像を表示する画像表示方法であって、前記複数の接続端子に対する前記記憶媒体の接続状況を視認させるとともに、前記接続端子に接続された前記記憶媒体の中からいずれかを選択させるための選択画像を表示する第１のステップと、前記選択画像により選択された前記記憶媒体に記憶されている画像データを読み出して、当該画像データに基づいた画像を表示する第２のステップとを備えたことを特徴とする。
【００１７】
この画像表示方法によれば、第１のステップにおいて選択画像を表示することにより、ユーザは、記憶媒体の接続状況を視認できるとともに、接続されている記憶媒体の中から、投写すべき画像データが記憶されている記憶媒体を選択することが可能となる。この結果、複数の記憶媒体が接続されている場合であっても、所望の記憶媒体に記憶されている画像データに基づいた画像を容易に表示することが可能となるため、利便性が向上する。
【００１８】
本発明のプログラムは、記憶媒体を接続可能な複数の接続端子を備えた画像表示装置で、前記記憶媒体に記憶されている画像データに基づいた画像を表示するプログラムであって、コンピュータに、前記複数の接続端子に対する前記記憶媒体の接続状況を視認させるとともに、前記接続端子に接続された前記記憶媒体の中からいずれかを選択させるための選択画像を表示させる第１のステップと、前記選択画像により選択された前記記憶媒体に記憶されている画像データを読み出して、当該画像データに基づいた画像を表示する第２のステップとを実行させることを特徴とする。
【００１９】
このプログラムによれば、第１のステップにおいて選択画像を表示させることにより、ユーザは、記憶媒体の接続状況を視認できるとともに、接続されている記憶媒体の中から、投写すべき画像データが記憶されている記憶媒体を選択することが可能となる。この結果、複数の記憶媒体が接続されている場合であっても、所望の記憶媒体に記憶されている画像データに基づいた画像を容易に表示することが可能となるため、利便性が向上する。
【００２０】
また、本発明は、前記プログラムをコンピュータで読み取り可能に記録した記録媒体の態様で構成することも可能である。記録媒体としては、フレキシブルディスクやＣＤ−ＲＯＭ、光磁気ディスク、ＩＣカード、ＲＯＭカートリッジ、パンチカード、バーコード等の符号が印刷された印刷物、プロジェクタの内部記憶装置（ＲＡＭやＲＯＭ等のメモリ）、及び外部記憶装置等、前記コンピュータが読み取り可能な種々の媒体を利用することができる。
【発明を実施するための最良の形態】
【００２１】
以下、本発明の実施形態について、図面を参照して説明する。
本実施形態の画像表示装置は、記憶媒体に記憶されている画像データに基づいて、光源から射出される光を変調して投写することにより、画像データに基づく画像を表示するプロジェクタである。
【００２２】
図１は、本実施形態のプロジェクタの概略構成を示すブロック図である。
図１に示すように、プロジェクタ１は、表示部としての画像投写部１０、制御部２０、記憶部２１、操作部２２、操作信号受信部２３、ネットワークインターフェイス（Ｉ／Ｆ）部２４、メモリカードインターフェイス（Ｉ／Ｆ）部２５、ＵＳＢインターフェイス（Ｉ／Ｆ）部２６、画像データ処理部２７、ライトバルブ駆動部２８、カードスロット３１、ＵＳＢ端子３２、リモコンＲＣ等で構成されており、画像投写部１０には、光源部１１、３つの液晶ライトバルブ１２Ｒ，１２Ｇ，１２Ｂ、投写光学系としての投写レンズ１３等が含まれている。
【００２３】
光源部１１は、高圧水銀ランプや、メタルハライドランプ等の放電ランプ１１ａと、放電ランプ１１ａが放射した光を液晶ライトバルブ１２Ｒ，１２Ｇ，１２Ｂ側に反射するリフレクタ１１ｂとを含んで構成されている。光源部１１から射出された光は、図示しないインテグレータ光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２４】
液晶ライトバルブ１２Ｒ，１２Ｇ，１２Ｂは、一対の透明基板間に液晶が封入された液晶パネル等によって構成され、各透明基板の内面には、液晶に対して微小領域（画素）毎に駆動電圧を印加可能な透明電極（画素電極）がマトリクス状に形成されている。
ライトバルブ駆動部２８が、入力される画像データに応じた駆動電圧を各画素に印加すると、各画素は、画像データに応じた光透過率に設定される。つまり、光源部１１から射出された光は、この液晶ライトバルブ１２Ｒ，１２Ｇ，１２Ｂを透過することによって変調され、画像データに応じた画像光が色光毎に形成される。形成された各色の画像光は、図示しない色合成光学系によって画素毎に合成されてカラー画像を表す画像光となった後、投写レンズ１３によってスクリーンＳＣ等に拡大投写される。
【００２５】
制御部２０は、ＣＰＵ（Central Processing Unit）や、各種データ等の一時記憶に用いられるＲＡＭ（Random Access Memory）等を備え、コンピュータとして機能するものである。制御部２０は、記憶部２１に記憶されている制御プログラムに従って動作することにより、バス２９を介して接続されている前記各部２１〜２７の動作を統括制御する。
【００２６】
記憶部２１は、マスクＲＯＭ（Read Only Memory）や、フラッシュメモリ、ＦｅＲＡＭ（Ferroelectric RAM：強誘電体メモリ）等の不揮発性のメモリにより構成されている。記憶部２１には、プロジェクタ１の動作を制御するための様々な制御プログラムや各種データ等が記憶されている。記憶部２１が記憶する制御プログラムは、ＯＳ（Operating System）や、ＯＳ上で動作するアプリケーションプログラム等によって構成される。また、記憶部２１が記憶するデータには、設定値等を表すデータに加えて、外部インターフェイスの接続状況等を表示するポータル画面、ユーザにメッセージを通知する際に表示するメッセージ画面、ユーザに環境設定等を行わせたりする際に表示するメニュー画面等を表す各種画像データが含まれている。
【００２７】
操作部２２及びリモコンＲＣは、プロジェクタ１に対して各種指示を行うための複数の操作ボタンを備えている。操作部２２及びリモコンＲＣが備える操作ボタンとしては、電源のオン・オフを行うための「電源ボタン」、ポータル画面やメニュー画面上等でカーソルを移動させて項目を選択するための「カーソルボタン」、ポータル画面やメニュー画面上等で選択された項目を決定するための「決定ボタン」等がある。ユーザが操作部２２の各種操作ボタンを操作すると、操作部２２は、ユーザの操作内容に応じた操作信号を制御部２０に出力する。また、ユーザがリモコンＲＣの各種操作ボタンを操作すると、リモコンＲＣは、ユーザの操作内容に応じた赤外線の操作信号を発し、操作信号受信部２３がこれを受信して制御部２０に伝達する。
【００２８】
ネットワークインターフェイス部２４は、ネットワーク通信を行う通信手段であり、本実施形態では、無線ＬＡＮ（Local Area Network）を利用した無線通信を行うことが可能になっている。ネットワークインターフェイス部２４は、制御部２０の指示に基づいて、パーソナルコンピュータ等の画像供給装置１００との間で無線ＬＡＮ接続に関わるコマンドの送受信を行ったり、画像供給装置１００から画像データを受信したりすることができる。なお、無線ＬＡＮの接続形態としては、図示しないアクセスポイントを介して通信を行うインフラストラクチャモード、及びアクセスポイントを介在させずに通信を行うアドホックモードの双方を利用することができる。ネットワークインターフェイス部２４が画像供給装置１００から画像データを受信すると、この画像データは、制御部２０の制御によって画像データ処理部２７に出力される。
【００２９】
メモリカードインターフェイス部２５及びＵＳＢインターフェイス部２６は、外部の記憶媒体（ストレージデバイス）との間でデータの入出力を行うものであり、記憶媒体に記憶されている画像データ等を読み出すことができる。メモリカードインターフェイス部２５には、記憶媒体であるメモリカードＭ０を接続可能な１つのカードスロット３１が内蔵ドライブとして備えられ、本実施形態のカードスロット３１は、コンパクトフラッシュ（登録商標）を接続可能になっている。一方、ＵＳＢインターフェイス部２６には、ＵＳＢ接続型のデバイスを接続可能なＵＳＢ・ＴｙｐｅＡ端子３２（以下、単にＵＳＢ端子３２という）が１つ備えられている。ＵＳＢ端子３２に接続可能なデバイスとしては、ＵＳＢメモリＭＵ等のようなＵＳＢ接続型の記憶媒体の他に、複数種類のメモリカードを装着可能な記憶媒体読取装置としてのマルチカードリーダＭＲ等がある。なお、カードスロット３１及びＵＳＢ端子３２は、本発明の接続端子に相当する。
【００３０】
図２は、ＵＳＢ端子３２に接続可能なマルチカードリーダＭＲの概略構成を示すブロック図である。
図２に示すように、マルチカードリーダＭＲは、制御部４０と、ＵＳＢインターフェイス（Ｉ／Ｆ）部４１と、入出力インターフェイス（Ｉ／Ｆ）部４２とを備えている。制御部４０は、ＣＰＵ、ＲＯＭ、ＲＡＭ等からなり、ＣＰＵがＲＯＭに記憶されている制御プログラムに従って動作することにより、バス４４を介して接続されているＵＳＢインターフェイス部４１、及び入出力インターフェイス部４２を制御する。
【００３１】
ＵＳＢインターフェイス部４１には、ＵＳＢ・ＴｙｐｅＢ端子４３（以下、単にＵＳＢ端子４３という）が接続されている。このＵＳＢ端子４３は、図示しないＵＳＢケーブルを介してパーソナルコンピュータ等のホスト機器に接続されるものであり、本実施形態では、プロジェクタ１のＵＳＢ端子３２に接続される。ＵＳＢインターフェイス部４１は、ＵＳＢ規格に基づいて、ホスト機器（プロジェクタ１）とのデータ通信を制御する。
【００３２】
入出力インターフェイス部４２には、コンパクトフラッシュ（登録商標）型のメモリカードＭ１を接続可能なカードスロット５１、ＳＤメモリカード型のメモリカードＭ２を接続可能なカードスロット５２、メモリースティック（登録商標）型のメモリカードＭ３を接続可能なカードスロット５３、スマートメディア（登録商標）又はｘＤ−ピクチャーカード（登録商標）型のメモリカードＭ４を接続可能なカードスロット５４の４つのカードスロットが接続されている。入出力インターフェイス部４２は、各カードスロット５１〜５４に接続されたメモリカードＭ１〜Ｍ４に対するデータの入出力を制御する。
なお、各カードスロット５１〜５４には、図示しない接続検出手段が備えられており、メモリカードＭ１〜Ｍ４が接続（装着）された状態か否かをスロット毎に検出可能になっている。接続検出手段による検出結果は、制御部４０に伝達される。
【００３３】
このマルチカードリーダＭＲがプロジェクタ１のＵＳＢ端子３２に接続されると、プロジェクタ１は、これら４つのカードスロット５１〜５４を４つのドライブとして認識し、各メモリカードから画像データを読み出すことができる。
【００３４】
図１に戻って、画像データ処理部２７には、制御部２０の制御により、カードスロット３１やＵＳＢ端子３２に接続されているメモリカードＭ０やＵＳＢメモリＭＵ等の記憶媒体から読み出された画像データや、画像供給装置１００から送信された画像データ、或いは、記憶部２１に記憶されている画像データが入力される。画像データ処理部２７は、入力された画像データに対して各種データ処理を施し、液晶ライトバルブ１２Ｒ，１２Ｇ，１２Ｂの各画素に印加する駆動電圧を規定するための画像データに変換する。画像データ処理部２７は、変換した画像データをライトバルブ駆動部２８に出力する。
【００３５】
ライトバルブ駆動部２８は、画像データ処理部２７から入力される画像データに基づいて、３つの液晶ライトバルブ１２Ｒ，１２Ｇ，１２Ｂを駆動する。この結果、画像投写部１０から画像データに応じた画像（画像光）が投写される。
【００３６】
次に、本実施形態のプロジェクタ１の動作について説明する。
プロジェクタ１に商用電源が供給されると、制御部２０は、制御プログラムに従った動作を開始し、所定の初期化動作を行った後、操作部２２の電源ボタンが操作（押下）されるのを待機する。電源ボタンが操作されると、制御部２０は、画像投写部１０による画像の投写を可能にするための処理を行った後に、画像データ処理部２７に指示をして、画像投写部１０からポータル画面を投写させる。
【００３７】
図３は、ポータル画面を示す説明図である。
図３に示すように、ポータル画面Ｇｐは、各インターフェイス部（ネットワークインターフェイス部２４、メモリカードインターフェイス部２５、ＵＳＢインターフェイス部２６）の接続状況、或いは接続に必要な情報等を表示する画面である。ポータル画面Ｇｐには、ネットワークに関する情報を示すネットワーク表示領域Ａｎと、ストレージ系インターフェイス、即ちメモリカードインターフェイス部２５及びＵＳＢインターフェイス部２６の接続状況等を示すストレージ表示領域Ａｓとが含まれている。なお、メモリカードインターフェイス部２５、及びＵＳＢインターフェイス部２６の双方とも記憶媒体（デバイス）が未接続の場合には、図３に示すように、ストレージ表示領域Ａｓには、何も表示されない。
【００３８】
制御部２０は、制御プログラムに従って動作している間、カードスロット３１及びＵＳＢ端子３２の接続状況を定期的に監視しており、メモリカードＭ０やＵＳＢメモリＭＵ、或いはマルチカードリーダＭＲ等のデバイスが接続されると、当該デバイスからの応答信号によって接続を検知する。また、制御部２０は、ＵＳＢ端子３２に接続されたデバイスから応答信号が入力されると、当該デバイスに対してドライブ数や各ドライブの種類を問い合わせるコマンドを発行する。その後、これらのコマンドに対する応答信号が入力されると、各ドライブに対して、ドライブを識別するためのドライブ番号を割り当てる。
【００３９】
なお、本実施形態のプロジェクタ１は、ドライブ番号として０〜４の５つの番号を割り当て可能であり、このうちドライブ番号０は、プロジェクタ１の内蔵ドライブであるカードスロット３１に予め割り当てられている。このため、ＵＳＢ端子３２に接続されるデバイスに対しては、最大で４つのドライブ番号（１〜４）を割り当て可能であり、デバイスが５つ以上のドライブ（カードスロット等）を備える場合でも、５つ目以降のドライブにアクセス（データの入出力）することはできない。
【００４０】
また、ＵＳＢ端子３２に対して、マルチカードリーダＭＲが接続された場合には、制御部２０は、各カードスロット５１〜５４にドライブ番号を割り当てた後、各カードスロット５１〜５４の接続状況（メモリカードＭ１〜Ｍ４が接続された状態か否か）を定期的に監視し、マルチカードリーダＭＲの制御部４０からの応答によって接続状況を認識することができる。
【００４１】
ポータル画面Ｇｐが表示されている状態で、カードスロット３１やＵＳＢ端子３２にデバイスが接続されると、制御部２０は、接続されたデバイスに応じて異なる動作を行うようになっている。例えば、カードスロット３１にメモリカードＭ０が接続された場合や、複数のメモリカードが装着された状態のマルチカードリーダＭＲがＵＳＢ端子３２に接続された場合には、制御部２０は、ポータル画面Ｇｐのストレージ表示領域Ａｓにドライブセレクタを重畳して表示する。
【００４２】
図４（ａ）〜（ｃ）、及び図５（ａ）〜（ｃ）は、ドライブセレクタを示す説明図である。
図４（ａ）〜（ｃ）、及び図５（ａ）〜（ｃ）に示すように、ドライブセレクタＤＳは、接続されているドライブの接続状況を示すとともに、ユーザにいずれか１つのドライブを選択させるための画像であり、本発明の選択画像に相当する。なお、ドライブセレクタＤＳを表示させる際の制御部２０が、本発明の選択部に相当する。
【００４３】
ドライブセレクタＤＳは、「ドライブの選択」と記されたタイトル表示部ＤＴと、５つのアイコン（ボタン状画像）Ｉ０〜Ｉ４が含まれるアイコン表示部ＤＩとによって構成されている。アイコン表示部ＤＩに含まれる５つのアイコンＩ０〜Ｉ４は、それぞれ５つのドライブ番号（０〜４）に対応するドライブを表しており、各アイコンにはドライブ番号が付加されている。また、アイコンに含まれるイラストは、ドライブによって異なっており、カードスロット３１（ドライブ番号０）を表すアイコンＩ０には、メモリカードが描かれ、ＵＳＢ端子３２に接続され得る４つのドライブ（ドライブ番号１〜４）を表すアイコンＩ１〜Ｉ４には、ＵＳＢメモリが描かれている。つまり、アイコンに含まれるイラストとドライブ番号とによって、ユーザは、容易にドライブを識別することができる。
【００４４】
制御部２０は、各ドライブの接続状況をユーザに認識させるために、ドライブの接続状況に応じて、各アイコンＩ０〜Ｉ４の表示態様を切り替える。具体的には、メモリカード等の記憶媒体が接続されてアクセスが可能なドライブのアイコンについては、イラストを明色で表示してイラストが目立つような表示態様（イネーブル状態）とし、記憶媒体が接続されておらずアクセスが不能なドライブのアイコンについては、イラストを暗色で表示してイラストが目立たないような表示態様（ディセーブル状態）とする。
ドライブセレクタＤＳを表す画像データは、アイコンを表す画像データとともに記憶部２１に記憶されており、制御部２０は、画像データ処理部２７に指示をして、接続状況に応じたドライブセレクタＤＳを表示させる。
【００４５】
例えば、ポータル画面Ｇｐ（図３参照）が表示されている状態で、カードスロット３１にメモリカードＭ０が接続されると、制御部２０はこれを検知して、図４（ａ）に示すようなドライブセレクタＤＳをストレージ表示領域Ａｓに表示する。この状態では、カードスロット３１を表すアイコンＩ０のみがイネーブル状態となる。
なお、カードスロット３１にメモリカードＭ０が接続されるとともに、１つのメモリカードも装着されていないマルチカードリーダＭＲがＵＳＢ端子３２に接続された場合にも、制御部２０は、図４（ａ）に示したものと同一のドライブセレクタＤＳ、即ちカードスロット３１を表すアイコンＩ０のみがイネーブル状態のドライブセレクタＤＳを表示する。
【００４６】
また、カードスロット３１にメモリカードＭ０が接続されるとともに、複数のメモリカードが装着されたマルチカードリーダＭＲがＵＳＢ端子３２に接続された場合には、制御部２０は、図４（ｂ）、（ｃ）に示すように、カードスロット３１を表すアイコンＩ０をイネーブル状態にするとともに、ＵＳＢ端子３２に接続されたドライブを表す４つのアイコンＩ１〜Ｉ４のうち、メモリカードが装着されているアイコンのみをイネーブル状態とする。例えば、マルチカードリーダＭＲに２つのメモリカードが装着されている場合には、図４（ｂ）に示すように、２つのアイコン（この例では、アイコンＩ２，Ｉ４）をイネーブル状態とし、マルチカードリーダＭＲに４つのメモリカードが装着されている場合には、図４（ｃ）に示すように、４つのアイコンＩ１〜Ｉ４をイネーブル状態とする。
【００４７】
また、カードスロット３１にメモリカードＭ０が接続されていない状態で、複数のメモリカードが装着された状態のマルチカードリーダＭＲがＵＳＢ端子３２に接続された場合には、制御部２０は、図５（ａ）、（ｂ）に示すように、ＵＳＢ端子３２に接続されたドライブを表す４つのアイコンＩ１〜Ｉ４のうち、メモリカードが装着されているアイコンのみをイネーブル状態とする。
【００４８】
なお、ＵＳＢ端子３２に対して、ＵＳＢメモリＭＵのように１つのドライブのみを備えるデバイスや、１つのメモリカードが装着された状態のマルチカードリーダＭＲが接続された場合の動作については後述する。また、カードスロット３１にメモリカードＭ０が接続されていない状態で、１つのメモリカードも装着されていない状態のマルチカードリーダＭＲがＵＳＢ端子３２に接続された場合には、制御部２０は、図５（ｃ）に示すように、すべてのアイコンＩ０〜Ｉ４をディセーブル状態としたドライブセレクタＤＳを表示することにより、アクセス可能なドライブが存在しない旨をユーザに通知する。
【００４９】
図４（ａ）〜（ｃ）及び図５（ａ）、（ｂ）に示すように、アイコン表示部ＤＩには、イネーブル状態のアイコン、即ち記憶媒体が接続されたドライブを示すアイコンのいずれか１つを囲む枠状のカーソルＣが表示されている。カーソルＣは、記憶媒体が装着されたドライブのいずれか１つを指定するためのものであり、図４（ｂ）、（ｃ）及び図５（ａ）、（ｂ）に示すように、記憶媒体が装着されたドライブが複数存在する場合には、ユーザは、操作部２２のカーソルキーを操作することによってカーソルＣの位置を移動させ、他のドライブを指定（選択）することができる。
【００５０】
ドライブセレクタＤＳ上によりいずれか１つのドライブが選択された状態で、ユーザが操作部２２の決定キーを操作すると、制御部２０は、選択されたドライブの記憶媒体に記憶されている画像データ（ファイル）の一覧を表示する。具体的には、制御部２０は、各画像データを読み出すとともに、画像データ処理部２７に指示をして、各画像データが表す画像を縮小して表示するための縮小画像データを生成させる。さらに、制御部２０は、縮小画像データによって表される縮小画像（サムネイル）が所定のレイアウトで配列された一覧表示画面を表示するために、画像データ処理部２７に当該一覧表示画面を表す画像データを生成させ、画像投写部１０から一覧表示画面を投写させる。
【００５１】
図６は、一覧表示画面を示す説明図であり、図７は、一覧表示画面で選択された画像が全面表示されている様子を示す説明図である。
図６に示すように、一覧表示画面Ｇｓは、タイトル「データ一覧」を表示するタイトル表示部Ｓ１と、各種動作メニューを表示するメニュー表示部Ｓ２と、サムネイルＳｎが配列された一覧表示部Ｓ３と、操作方法を案内するためのガイド表示部Ｓ４とで構成されている。
一覧表示部Ｓ３に配列されたサムネイルＳｎは、枠状のカーソルＣによって選択可能になっている。ユーザが操作部２２のカーソルキーを操作して、いずれか１つのサムネイルＳｎ（画像データ）を選択した後に決定キーを操作すると、制御部２０は、画像データ処理部２７に指示をして、図７に示すように、選択された画像データに基づく画像を投写画面Ｇａの略全面に表示（全面表示）させる。なお、選択された画像が全面表示されている状態で、ユーザが操作部２２の決定キーを操作すると、制御部２０は、一覧表示画面Ｇｓを表示した状態に戻す。
【００５２】
図６に戻って、一覧表示画面Ｇｓのメニュー表示部Ｓ２には、全面表示を行う画像を所定時間毎に切り替える「スライドショー」、サムネイルＳｎが複数ページに渡る場合にページを切り替えるための「前のページ」及び「次のページ」、一覧表示画面Ｇｓの表示を終了させるための「終了」の項目が配列されている。ユーザが操作部２２のカーソルキーを操作していずれかの項目を選択した後に決定キーを操作すると、制御部２０は、選択された項目に応じた動作を行う。ここで、「終了」が選択された場合には、制御部２０は、ドライブセレクタＤＳを含んだポータル画面Ｇｐを表示する状態に復帰させ、ユーザによるドライブの選択を待機する。なお、この状態で、カードスロット３１やＵＳＢ端子３２に接続されたすべてのデバイスが取り出されると、制御部２０は、ドライブセレクタＤＳの表示を終了し、ドライブセレクタＤＳを含まないポータル画面Ｇｐを表示する（図３参照）。
【００５３】
次に、ＵＳＢ端子３２に対して、１つのドライブのみを備えるデバイスや、１つのメモリカードが装着された状態のマルチカードリーダＭＲが接続された場合の動作について説明する。
ＵＳＢ端子３２にデバイスが接続されていない状態、即ち、カードスロット３１にメモリカードＭ０が接続されておらず、ドライブセレクタＤＳを含まないポータル画面Ｇｐが表示された状態（図３参照）、或いはカードスロット３１にメモリカードＭ０が接続され、ドライブセレクタＤＳ（図４（ａ）参照）が表示された状態で、ＵＳＢメモリＭＵのように１つのドライブのみを備えるデバイスや、１つのメモリカードが装着された状態のマルチカードリーダＭＲがＵＳＢ端子３２に接続されると、制御部２０は、新たに接続されたドライブの一覧表示画面Ｇｓを表示する。つまり、この場合には、ユーザがドライブを選択することなく、全面表示するための画像データを選択することが可能な状態となる。
【００５４】
なお、ＵＳＢ端子３２に、１枚のメモリカードも装着されていないマルチカードリーダＭＲが接続されている状態で、カードスロット５１〜５４のいずれかにメモリカードが装着された場合にも、制御部２０は、装着された記憶媒体（ドライブ）の一覧表示画面Ｇｓを表示する。
【００５５】
その後、ユーザが一覧表示画面Ｇｓの表示を終了させると、制御部２０は、図８（ａ）に示すように、ＵＳＢ端子３２に割り当て可能な４つのドライブのうち、メモリカードが装着されている１つのドライブのアイコンのみがイネーブル状態のドライブセレクタＤＳをポータル画面Ｇｐ上に重畳表示させる。なお、カードスロット３１にメモリカードＭ０が接続されている場合には、図８（ｂ）に示すように、カードスロット３１を表すアイコンＩ０もイネーブル状態となる。
【００５６】
なお、プロジェクタ１に電源が供給される以前に、カードスロット３１やＵＳＢ端子３２にデバイスが接続されている場合には、制御部２０は、ドライブセレクタＤＳを含まないポータル画面Ｇｐ（図３参照）を表示する代わりに、その接続状況に応じた動作を行う。即ち、カードスロット３１にメモリカードＭ０が接続されている場合や、ＵＳＢ端子３２に、メモリカードの装着数が０又は２以上のマルチカードリーダＭＲが接続されている場合には、ドライブセレクタＤＳを含むポータル画面Ｇｐを表示し、ＵＳＢ端子３２に、１つのドライブのみを備えるデバイス（ＵＳＢメモリＭＵ等）や、１つのメモリカードが装着されたマルチカードリーダＭＲが接続されている場合には、一覧表示画面Ｇｓを表示する。
【００５７】
以上説明したように、本実施形態のプロジェクタ１によれば、以下の効果を得ることができる。
（１）本実施形態のプロジェクタ１によれば、制御部２０がドライブセレクタＤＳを表示させることにより、ユーザは、記憶媒体の接続状況を視認できるとともに、接続されている記憶媒体の中から、投写すべき画像データが記憶されている記憶媒体を選択することが可能となる。この結果、複数の記憶媒体のうち所望の記憶媒体に記憶されている画像データに基づいた画像を容易に表示することが可能となるため、利便性が向上する。
【００５８】
（２）本実施形態のプロジェクタ１によれば、制御部２０が、ドライブセレクタＤＳにより選択された記憶媒体に記憶されている画像データの一覧を、一覧表示画面Ｇｓとして表示させ、この一覧表示画面Ｇｓで全面表示する画像を選択させるようにしているため、記憶媒体に記憶されている複数の画像データの中から、全面表示すべき画像データを容易に指定（選択）することが可能となる。
【００５９】
（３）本実施形態のプロジェクタ１によれば、ドライブセレクタＤＳに、接続端子（カードスロット３１及びＵＳＢ端子３２）に接続可能な記憶媒体を表すアイコンＩ０〜Ｉ４が含まれており、制御部２０が、接続端子に記憶媒体が接続されている場合と接続されていない場合とでアイコンＩ０〜Ｉ４の表示態様（明るさ）を変化させているため、記憶媒体の接続状況を容易に視認することが可能となる。
【００６０】
（４）本実施形態のプロジェクタ１によれば、アイコンＩ０〜Ｉ４によって、接続状況の視認及びドライブの選択の両方が可能となるため、ドライブセレクタＤＳに含むべき要素数を低減することが可能となる。この結果、ドライブセレクタＤＳを簡素にすることが可能となり、ドライブセレクタＤＳの視認性が向上する。
【００６１】
（５）本実施形態のプロジェクタ１によれば、ＵＳＢ端子３２に、複数のドライブを備えたマルチカードリーダＭＲが接続された場合に、マルチカードリーダＭＲの各ドライブに対応する複数のアイコンＩ１〜Ｉ４をドライブセレクタＤＳ上に表示するようにしているため、マルチカードリーダＭＲの各ドライブの接続状況の視認、及び各ドライブの選択を容易に行うことが可能となる。
【００６２】
（変形例）
なお、本発明の実施形態は、以下のように変更してもよい。
前記実施形態では、ポータル画面（図３）が表示された状態で、カードスロット３１にメモリカードＭ０が接続されると、制御部２０は、ドライブセレクタＤＳを表示するようにしているが、ＵＳＢメモリＭＵ等と同様、一覧表示画面Ｇｓを表示するようにしてもよい。また、自動起動を指示するためのファイル（Auto Runファイル）を含んだメモリカードＭ０がカードスロット３１に接続された場合には、一覧表示画面Ｇｓを表示し、Auto Runファイルを含まないメモリカードＭ０が接続された場合には、ドライブセレクタＤＳを表示するようにしてもよい。
【００６３】
なお、カードスロット３１にメモリカードＭ０が接続された場合に、一覧表示画面Ｇｓを表示させるようにしないのは、以下の理由による。カードスロット３１（内蔵ドライブ）に接続されたメモリカードＭ０は、内蔵ストレージとして扱うことが可能であり、例えば、ネットワークドライブとして外部からアクセスすることもできる。つまり、カードスロット３１に接続されるメモリカードＭ０に関しては、表示すべき画像データをＰＣ等により予め記憶させておき、必要な時にプロジェクタ１に接続するといったＵＳＢメモリＭＵ等と同様の利用形態以外にも、常にカードスロット３１に接続した状態にしておく等、様々な利用形態が想定されるためである。
【００６４】
前記実施形態において、ＵＳＢ端子３２に接続可能なデバイスのうちで、１つのドライブのみを備えるものとしては、上述したＵＳＢメモリＭＵの他に、ＵＳＢ接続型のハードディスクドライブや、記憶媒体（メモリカード等）を１つだけ備えたデジタルカメラ等を用いることができる。また、複数のドライブを備えるデバイスとしては、上述したマルチカードリーダＭＲの他に、複数の記憶媒体を装着可能なデジタルカメラや、複数のパーティションに分割されたＵＳＢ接続型のハードディスク等が利用可能である。
【００６５】
前記実施形態におけるＵＳＢ端子３２の代わりに、ＩＥＥＥ１３９４等、ＵＳＢ規格以外の規格に基づく端子を備えるようにしてもよい。
【００６６】
前記実施形態では、コンパクトフラッシュ（登録商標）型のメモリカードＭ０を接続可能なカードスロット３１を内蔵ドライブとして備えているが、内蔵ドライブはこれに限られず、他の規格に基づくカードスロットであってもよいし、着脱不能なハードディスクドライブ等を内蔵ドライブとして備えるようにしてもよい。
【００６７】
前記実施形態では、ＵＳＢ端子３２に接続されるデバイスに対しては、最大で４つのドライブ番号（１〜４）を割り当て可能であり、ドライブセレクタＤＳには、ドライブ番号が割り当てられた４つのドライブのアイコンを表示するようにしているが、割り当て可能なドライブ番号及び表示するアイコンの数は４つに限られず、３つ以下でも５つ以上であってもよい。
【００６８】
前記実施形態では、カードスロット３１やＵＳＢ端子３２に対する記憶媒体の接続状況に応じてアイコンの表示態様を変化させるために、アイコンＩ０〜Ｉ４に含まれるイラストの明暗を変えているが、接続状況に応じてイラスト自体（イラストの形状）を変えるようにしてもよいし、接続状況を表す語句をアイコンＩ０〜Ｉ４に含めるようにしてもよい。
【００６９】
前記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の出射方向を、画素としてのマイクロミラー毎に制御することにより、光源から出射した光を変調する微小ミラーアレイデバイス等を用いることもできる。
【００７０】
前記実施形態では、光源部１１として放電型光源ランプを用いているが、ＬＥＤ（Light Emitting Diode：発光ダイオード）光源等の固体光源や、その他の光源を用いることもできる。
【００７１】
前記実施形態では、画像表示装置として、プロジェクタ１を例にして説明しているが、透過型のスクリーンを一体的に備えたリアプロジェクタ、或いは、ＣＲＴ（陰極線管）ディスプレイ、液晶ディスプレイ、プラズマディスプレイ、ＳＥＤ（Surface-conduction Electron-emitter Display）、有機ＥＬ（Electro Luminescence）ディスプレイ等に適用することも可能である。
【図面の簡単な説明】
【００７２】
【図１】プロジェクタの概略構成を示すブロック図。
【図２】マルチカードリーダの概略構成を示すブロック図。
【図３】ポータル画面を示す説明図である。
【図４】（ａ）〜（ｃ）は、ドライブセレクタを示す説明図。
【図５】（ａ）〜（ｃ）は、ドライブセレクタを示す説明図。
【図６】一覧表示画面を示す説明図。
【図７】一覧表示画面で選択された画像が全面表示されている様子を示す説明図。
【図８】（ａ）、（ｂ）は、ドライブセレクタを示す説明図。
【符号の説明】
【００７３】
１…プロジェクタ、１０…画像投写部、１１…光源部、１２Ｒ，１２Ｇ，１２Ｂ…液晶ライトバルブ、１３…投写レンズ、２０…制御部、２１…記憶部、２２…操作部、２３…操作信号受信部、２４…ネットワークインターフェイス部、２５…メモリカードインターフェイス部、２６…ＵＳＢインターフェイス部、２７…画像データ処理部、２８…ライトバルブ駆動部、２９…バス、３１…カードスロット、３２…ＵＳＢ端子、１００…画像供給装置、Ｍ０〜Ｍ４…メモリカード、ＭＲ…マルチカードリーダ、ＭＵ…ＵＳＢメモリ、ＲＣ…リモコン、ＳＣ…スクリーン、Ｇｐ…ポータル画面、ＤＳ…ドライブセレクタ、Ｉ０〜Ｉ４…アイコン、Ｃ…カーソル、Ｇｓ…一覧表示画面。
【図１】
2008096878.tif 000003
【図２】
2008096878.tif 000004
【図３】
2008096878.tif 000005
【図４】
2008096878.tif 000006
【図５】
2008096878.tif 000007
【図６】
2008096878.tif 000008
【図７】
2008096878.tif 000009
【図８】
2008096878.tif 000010